(57)【要約】      （修正有）【課題】バナー幕の中の輪郭エッジの断ち切りを施した状態においても、バナー幕が撚れたり捲れたりせず、掲揚状態が良好となるバナー幕を提供する。【解決手段】支持掲揚するための支持部１１０と、バナー幕本体１３０を上下方向に引張してテンションを与える上端支持部１２０−１および下端支持部１２０−２を備えた上下テンション付与部と、バナー幕本体のベースデザイン部分に含まれるデザインの輪郭線のエッジ部１５０を強調しカット除去した輪郭カットデザイン部分１４０と、輪郭カットデザイン部分１４０をカットする際にカットせずに残した上下方向に沿う細線状の一又は複数本の橋梁部１６０を備えたものとする。上下テンション付与部により供給されるテンションが橋梁部１６０を介して輪郭カットデザイン部分１４０を貫通することにより、撚れや捲れの発生を防止する。【選択図】図１
0003200916.tif 000002
【実用新案登録請求の範囲】
【請求項１】
バナー幕本体と、
前記バナー幕本体を支持掲揚するための垂直方向の支持部と、
前記バナー幕本体を上下方向に引張してテンションを与える上端支持部および下端支持部を備え、少なくともいずれか一方が前記支持部により支持される上下テンション付与部と、
前記バナー幕本体のベースデザイン部分に含まれる文字または図形のデザインの輪郭線を強調し当該輪郭線に沿ってカット除去した輪郭カットデザイン部分と、
輪郭カットデザイン部分をカットする際にカットされずに残した上下方向に沿う細線状の一又は複数本の橋梁部を備え、
前記上下テンション付与部により供給される上下方向の前記テンションが前記橋梁部を介して前記輪郭カットデザイン部分を貫通することにより、撚れや捲れの発生を防止せしめたことを特徴とするバナー幕。
【請求項２】
前記上下テンション付与部において、前記下端支持部がなく、前記バナー幕本体が前記上端支持部からの上向き方向の力と、前記バナー幕本体の自重による下向きの力により上下方向に引張するものである請求項１に記載のバナー幕。
【請求項３】
輪郭カットデザイン部分が、前記文字または前記図形のデザインを抜き文字または抜き型デザインとして前記輪郭線に沿ってカット除去したものであり、前記橋梁部が、前記輪郭カットデザイン部分のうち撚れや捲れが発生しやすい突起箇所又は浮島となる分離箇所に設けられていることを特徴とする請求項１または２に記載のバナー幕。
【請求項４】
前記支持部および前記上下テンション付与部の組み合わせが、(1)サイドに前記支持部を配設し、前記上端支持部および下端支持部をサイドから支持したのぼり旗形式の構造、(2)下方に脚部を持ちセンターに前記支持部を配設し、自立型の脚付きスタンド形式の構造、(3)上方に吊下線状の支持部を配設し、前記上端支持部を前記支持部で吊下したタペストリー形式の構造、(4)下方に筒状の収納機能を備えた前記下端支持部を置き、上方に向けて前記支持部と前記上端支持部を引き上げて固定したロールアップスタンド形式の構造のいずれかであることを特徴とする請求項１から３のいずれかに記載のバナー幕。
【請求項５】
前記バナー幕本体の素材が熱可塑性樹脂を含むものであり、
前記バナー幕本体の前記輪郭カットデザイン部分の輪郭線のエッジ断ち切り処理および前記橋梁部のエッジ断ち切り処理を、熱切断処理にて行い、前記エッジ断ち切り処理後の切断面を熱溶融固化して形成した請求項１から４のいずれかに記載のバナー幕。
【請求項６】
前記バナー幕本体の前記橋梁部のエッジに沿って、熱可塑性樹脂のパウダーを載せ置いて前記エッジ断ち切り処理を熱切断処理にて行い、前記橋梁部のエッジを熱溶融固化して補強せしめた請求項１から５のいずれか１項に記載のバナー幕。
【請求項７】
前記バナー幕本体の前記橋梁部のエッジに沿って、熱可塑性樹脂のフィルムを載せ置いて前記エッジ断ち切り処理を熱切断処理にて行い、前記橋梁部のエッジを熱溶融固化して形成した請求項１から５のいずれか１項に記載のバナー幕。
【請求項８】
前記熱切断処理が、レーザー照射による加熱処理、ヒートカッターによる加熱処理、マイクロ波照射による加熱処理、または、高周波振動カッターによる切断とその際に発生する摩擦熱による加熱処理のいずれかであることを特徴とする請求項１から７のいずれか１項に記載のバナー幕。
【考案の詳細な説明】
【技術分野】
【０００１】
本考案は、各種店舗や街頭での広告宣伝目的などで使用されるバナー幕に関する。特に、バナー幕のデザイン中における一部の文字デザインや図形デザインを大きく強調し、訴求力を向上せしめたバナー幕に関する。ここで、バナー幕としては、のぼり旗の幕布、吊り旗の幕布、暖簾の幕布、横断幕の幕布、懸垂幕の幕布、引き幕の幕布、日除け幕の幕布、襷の幕布など、各種の旗類や幕類を含むものである。また、バナー幕の支持掲揚構造としては、多様なものがあり得るが、例えば、(1)サイドに支持部を持ちサイドから支持したいわゆる"のぼり旗"形式のフレームを持つバナー幕や、(2)下方に脚部を持ちセンターに支持部を持つ自立型のいわゆる"脚付きスタンド"形式のフレームを持つバナー幕や、(3)下方に筒状の収納部を置いて上方に支持部とともに上端支持部を掲揚したいわゆる"ロールアップスタンド"形式のフレームを持つバナー幕などがあり得る。
【背景技術】
【０００２】
バナー幕は、布地から形成された矩形などの基本形状を持ち、支持掲揚するフレームに取り付けて掲揚し、各種店舗や街頭などに据え付けて広告宣伝目的に用いられる。バナー幕の支持掲揚するフレームとしては多様なものがある。
【０００３】
図１２は、従来のいわゆる"のぼり旗形式"のバナー幕の構成（特開２００４−１０９７５７号公報）を簡単に示す図である。図１２に示すように、バナー幕の表面全域には、広告などの各種デザインが印刷された印刷部分が印刷されている。さらに、バナー幕の一方の側辺と上辺の部分には、バナー幕を掲揚器具に取り付けるための輪が所定間隔毎に複数逢着されている。
【０００４】
バナー幕は、宣伝広告目的等に使用するものであるため、バナー幕の印刷部分に表示される文字デザインや図形デザインなどは、目立つように明確に視認されることが重要である。
バナー幕のデザインは、宣伝広告効果を大きくするため、様々に工夫されている。例えば、カラーを多用する、字を大きくする、字に強調線を入れる、キャラクターを書き込むなど様々な工夫が施されている。
【０００５】
なお、従来技術において、風などによりバナー幕が撚れたり捲れたりすることを防止する技術が幾つか知られている。
図１２に示した特開２００４−１０９７５７号公報に開示された従来のいわゆる"のぼり旗形式"のバナー幕では、支持部とバナー幕の下端を斜めにチチが掛け渡されている（特許文献１）。このバナー幕下端の斜めのチチにより、下端の支持部寄りの箇所を固定して、できるだけ風などでバナー幕が撚れたり捲れたりしないように配慮している。
【０００６】
また、図１３は、従来のいわゆる"のぼり旗形式"のバナー幕の構成（特開２００９−０６３８７２号公報）を簡単に示す図である。図１３に示すように、特開２００９−０６３８７２号公報に開示されたバナー幕では、バナー下端が支持部に向かって斜めに断ち切りされており、その下端部に少し重量があり曲がりにくい三角部というシートを補強して下端部が撚れたり捲れたりしないよう工夫している（特許文献２）。
【特許文献１】特開２００４−１０９７５７号
【特許文献２】特開２００９−０６３８７２号
【考案の開示】
【考案が解決しようとする課題】
【０００７】
しかしながら、従来のバナー幕は矩形などの基本形状をしており、デザイン自体が物理的にその矩形内に収まるを得ず、その矩形内での文字デザイン、図形デザインとなっている。このように所定の枠内に収まるように描かれた文字デザインや図形デザインは、条件次第によっては、いわゆる小ぢんまりと見えてしまい、訴求力が十分に発揮できない場合もあり得る。
そのために、宣伝広告目的を十分に果たすために、バナー幕に描かれた文字デザインや図形デザインを如何に印象付けて訴求力を向上させるかが重要な課題となる。特に、近年、バナー幕の中の文字や図形を強調するため、その輪郭のエッジに沿って断ち切りしてバナー幕の一部を切り抜いたりすることによって、文字や図形について立体的な視覚効果を奏するものが有望である。
【０００８】
一方、バナー幕は、店舗前や街角に設置されるため、常に屋外環境に晒されている。つまり、風雨に晒される上、風などにより、簡単にバナー幕が撚れたり捲れたりしてしまう。
【０００９】
そこで、上記従来技術に示したように、従来技術において幾つかの防止策が知られているが、特許文献１の特開２００４−１０９７５７号では、下端部の一部にのみ斜め方向にチチを渡したものに過ぎないので、やはり風などによりバナー幕全体が撚れたり捲れたりする問題は解決できない。さらに、バナー幕の中の文字や図形の輪郭エッジに沿って断ち切りしてバナー幕の中に切れ目が入ったものであれば、同号の技術ではそれら断ち切りエッジにおける撚れや捲れを防止することはできない。
【００１０】
また、特許文献２の特開２００９−０６３８７２号では、バナー幕の全体の形状が制限的であり、下端に必ず三角部を設けなくてはならない。また、バナー幕の中の文字や図形の輪郭エッジに沿って断ち切りしてバナー幕の中に切れ目が入ったものであれば、同号の技術ではそれら断ち切りエッジにおける撚れや捲れを防止することはできない。
【００１１】
そこで、上記問題に鑑み、本考案は、バナー幕の中の文字デザインや図形デザインの視認性を高めるために輪郭エッジを強調した断ち切りを施した状態においても、バナー幕が撚れたり捲れたりしないような構造を与え、掲揚状態が良好となるバナー幕を提供することを目的とする。
【課題を解決するための手段】
【００１２】
上記目的を達成するため、本考案に係るバナー幕は、バナー幕本体と、バナー幕本体を支持掲揚するための垂直方向の支持部と、バナー幕本体を上下方向に引張してテンションを与える上端支持部および下端支持部を備え前記支持部に取り付けた上下テンション付与部と、前記バナー幕本体の基本形状の輪郭内のデザインをなすベースデザイン部分と、前記ベースデザイン部分に含まれる文字または図形のデザインの輪郭線を強調し当該輪郭線に沿ってカット除去した輪郭カットデザイン部分と、輪郭カットデザイン部分をカットする際にカットされずに残された上下方向に沿う細線状の一又は複数本の橋梁部を備え、前記上下テンション付与部により供給される上下方向の前記テンションが前記橋梁部を介して前記輪郭カットデザイン部分を貫通することにより、撚れや捲れの発生を防止せしめたことを特徴とするバナー幕である。
ここで、輪郭カットデザイン部分が、前記文字または前記図形のデザインを抜き文字または抜き型デザインとして前記輪郭線に沿ってカット除去したものであり、前記橋梁部が、前記輪郭カットデザイン部分のうち撚れや捲れが発生しやすい突起箇所又は浮島となる分離箇所に設けることが効果的である。
【００１３】
上記構成により、バナー幕本体の中のうち強調したい文字デザインや図形デザインがあたかも飛び出したように見える一種の視覚効果が得られる。さらに、バナー幕本体の中に空間や切れ目が多数生じ得るが、その間を効果的に橋梁部が上下方向につなぐとともに、上下テンション付与部により供給される上下方向のテンションが橋梁部を介して伝達されるため、文字や図形の輪郭エッジの断ち切りにより多数生じ得る切れ目などのすべての部分がいわゆる"ピン"と張った状態を維持することができる。なお、本考案のバナー幕によれば、バナー幕本体のベースデザイン部分は多様にすることができ、矩形に限定されない。
【００１４】
なお、支持部と上下テンション付与部の組み合わせとして、(1)サイドに支持部を配設し、上端支持部および下端支持部をサイドから支持したいわゆる"のぼり旗"形式の構造、(2)下方に脚部を持ちセンターに前記支持部を配設し、自立型の脚付きスタンド形式の構造、(3)上方に吊下線状の支持部を配設し、前記上端支持部を前記支持部で吊下したいわゆる"タペストリー形式"の構造、 (4)下方に筒状の収納機能を備えた前記下端支持部を置き、上方に向けて前記支持部と前記上端支持部を引き上げて固定したロールアップスタンド形式の構造などがある。
これらは一例に過ぎず、その他にも、バナー幕本体の上端と下端に対して上下方向に張力を掛けて、いわゆるピンと張った状態が維持できる構造であれば、本考案の上下テンション付与部として採用することができ、バナー幕の構造として適用することができる。
【００１５】
次に、文字や図形デザインの輪郭のエッジ、さらには、細い橋梁部のエッジは "ほつれ"が生じやすい可能性がある。また、力が掛かりやすく破断するおそれもある。そこで、輪郭のエッジ、細い橋梁部のエッジにおいて"ほつれ"が生じにくく構造上の強度を向上させるため、下記の工夫を盛り込むことができる。
例えば、バナー幕本体の素材が熱可塑性樹脂を含むものとし、バナー幕本体の輪郭カットデザイン部分の輪郭線のエッジ断ち切り処理および橋梁部のエッジ断ち切り処理を、熱切断処理にて行い、エッジ断ち切り処理後の切断面を熱溶融固化して形成する工夫である。
特に、バナー幕本体の橋梁部のエッジに沿って、熱可塑性樹脂のパウダーを載せ置いてエッジ断ち切り処理を熱切断処理にて行い、橋梁部のエッジを熱溶融固化して補強せしめる。
【００１６】
上記構成により、エッジの断ち切りが単なる布地の断ち切りではなく、熱溶融固化して固まったものとなり、いわゆる布地の繊維を途中で切断したものではなく、複雑な形状にてエッジを断ち切りしつつも、エッジが固化して新たな端面となった状態となるため、"ほつれ"が生じにくくなり、構造強度が向上する。
熱可塑性樹脂のパウダーの他、バナー幕本体の橋梁部のエッジに沿って、熱可塑性樹脂のフィルムを載せ置いてエッジ断ち切り処理を熱切断処理にて行い、橋梁部のエッジを熱溶融固化して形成する工夫も良い。
【００１７】
なお、熱切断処理の手段としては、レーザー照射による加熱処理、ヒートカッターによる加熱処理、マイクロ波照射による加熱処理、高周波振動カッターによる切断とその際に発生する摩擦熱による加熱処理などが適用できる。
【考案の効果】
【００１８】
本考案のバナー幕によれば、バナー幕本体の中のうち強調したい文字デザインや図形デザインがあたかも飛び出したように見える一種の視覚効果が得られる。さらに、バナー幕本体の中に空間や切れ目が多数生じ得るが、その間を効果的に橋梁部が上下方向につなぐとともに、上下テンション付与部により供給される上下方向のテンションが橋梁部を介して伝達されるため、文字や図形の輪郭エッジの断ち切りにより多数生じ得る切れ目などのすべての部分がいわゆる"ピン"と張った状態を維持することができる。
また、本考案のバナー幕によれば、輪郭のエッジ、細い橋梁部のエッジにおいて熱可塑性樹脂パウダーや熱可塑性フィルムなどを用いた熱溶融固化処理を行うことにより"ほつれ"が生じにくく、さらに、構造上の強度を向上させることができ、バナー幕の劣化などが発生しにくい耐久性の大きなバナー幕とすることができる。
【図面の簡単な説明】
【００１９】
【図１】本考案を適用したバナー幕１００の構成例を示す図である。
【図２】図１のバナー幕１００の構成例における橋梁部１６０に印加される上下方向への引張力を図示したものである。
【図３】本考案を適用したバナー幕１００の他の構成例を示す図である。
【図４】図３のバナー幕１００の構成例における橋梁部１６０に印加される上下方向への引張力を図示したものである。
【図５】本考案を適用したバナー幕１００の他の構成例を示す図である。
【図６】図５のバナー幕１００の構成例における橋梁部１６０に印加される上下方向への引張力を図示したものである。
【図７】本考案を適用したバナー幕１００の他の構成例を示す図である。
【図８】図７のバナー幕１００の構成例における橋梁部１６０に印加される上下方向への引張力を図示したものである。
【図９】レーザー照射による熱切断処理が行われてエッジが形成される様子を簡単に示す図である。
【図１０】熱可塑性樹脂パウダー１７０を適用して、レーザーによりバナー幕１００の熱切断処理を行う様子を簡単に示す図である。
【図１１】熱可塑性樹脂フィルム１８０を適用して、レーザーによりバナー幕１００の熱切断処理を行う様子を簡単に示す図である。
【図１２】従来のバナー幕の構成（特開２００４−１０９７５７号公報）を簡単に示す図である。
【図１３】従来のバナー幕の構成（特開２００９−０６３８７２号公報）を簡単に示す図である。
【考案を実施するための最良の形態】
【００２０】
以下、図面を参照しつつ、本考案にかかる宣伝広告目的用のバナー幕の実施形態を説明する。ただし、本考案の技術的範囲は以下の実施形態に示した具体的な用途や形状・寸法などには限定されない。
また、バナー幕としては、のぼり旗の幕布、吊り旗の幕布、暖簾の幕布、横断幕の幕布、懸垂幕の幕布、引き幕の幕布、日除け幕の幕布、襷の幕布など、各種の旗類や幕類を含むものとして説明する。
また、本実施例におけるバナー幕の支持掲揚構造としては、多様なものがあり得る。
ここでは、一例としては、次の４つのタイプの構造例を挙げる。
(1)サイドに支持部を配設し、上下テンション付与部をサイドから支持したいわゆる"のぼり旗"形式の構造例
(2)下方に脚部を持ちセンターに支持部を配設し、自立型のいわゆる"脚付きスタンド"形式の構造例
(3)上方に吊下線状の支持部を配設し、前記上端支持部を前記支持部で吊下したいわゆる"タペストリー形式"の構造
(4)下方に筒状の収納機能を備えた下端支持部を置き、上方に向けて支持部と上端支持部を引き上げて固定するいわゆる"ロールアップスタンド"形式の構造例
これら本実施例で挙げる例は一例に過ぎず、その他にも、バナー幕の上端と下端に対して上下方向に張力を掛けて、いわゆるピンと張った状態が維持できる構造であれば、本考案のバナー幕の構造を適用することができることは理解されよう。
【実施例１】
【００２１】
（１）サイドに支持部を配設し、上下テンション付与部をサイドから支持したいわゆる"のぼり旗"形式の構造例
図１は本考案を適用したバナー幕１００の構成例を示す図である。図１に示す例は、サイドに支持部を配設し、上下テンション付与部をサイドから支持したいわゆる"のぼり旗"形式の構造例となっている。バナー幕の輪郭カットデザイン部分として、"１円"というデザイン文字とパチンコ玉の図形デザイン、および、"１０円"というデザイン文字とパチンコ玉の図形デザインとなっている例である。
図１に示すように、バナー幕１００は、支持部１１０、上下テンション付与部１２０、バナー幕本体１３０、輪郭カットデザイン部分１４０、輪郭線に沿ったエッジ部１５０、橋梁部１６０を備えた構成となっている。
【００２２】
本考案のバナー幕１００としては、その素材は、特に限定されず、どのような布であっても良い。つまり、布の材料の繊維としては、天然繊維、合成繊維のいずれであっても良い。また、その繊維を布に形成する手段で分類した場合、不織布、織物布、編物布のいずれであっても良い。
【００２３】
この実施例では、バナー幕本体１３０のエッジ部１５０の形成処理を、熱切断処理の例とし、バナー幕本体１３０の素材が熱可塑性樹脂を含む布を例として説明する。
ここで、熱可塑性樹脂を含む布とは、布全体が熱可塑性樹脂で形成されたもの、例えば、共重合ポリエステル繊維、ナイロン繊維、アクリル合成繊維などがある。また、布全体が熱可塑性樹脂ではなく、一部に熱可塑性樹脂を含む場合もあり得る。例えば、布自体は麻布であり、その麻布に熱可塑性樹脂を含浸させる加工を施した布や、布自体は綿布であり、その綿布に熱可塑性樹脂を塗布する表面加工を施した布などがある。このように熱可塑性樹脂を含む布であれば、後述するように熱切断処理すれば、布基材を切断しつつ熱可塑性樹脂が熱溶融して一旦溶け、その後に冷却されて固化することによりエッジを形成することができる。この実施例では、バナー幕布全体がポリエステル樹脂で形成されている例とする。
【００２４】
支持部１１０は、バナー幕本体１３０を支持する構造物であり、略垂直に設けられた柱である。支持部１１０は自立できるように台座（図示せず）に差し込まれたり、何かの構造物に緊締されたりすることが多い。
支持部１１０は、この例では棒状のものであり、例えば、プラスチック樹脂性のものである。
【００２５】
上下テンション付与部１２０は、バナー幕本体１３０の上端および下端を支持する構造物である。上端支持部１２０−１と下端支持部１２０−２と、それらを適切な距離に離隔保持する保持構造を備えている。
上下テンション付与部１２０としては、多様な方式、多様な構造があり得る。
この例では、いわゆるのぼり旗形式の構造であり、上端支持部１２０−１と下端支持部１２０−２がそれぞれ支持部１１０から横方向に延設されている。この例では上端支持部１２０−１と下端支持部１２０−２は上下方向にしなりが少なく、上端支持部１２０−１は上向き、下端支持部１２０−２のものは下向きに、バナー幕本体１３０を引張し、上下方向にテンションを与えるものとなっている。バナー幕本体１３０がいわゆる"ピン"と張った状態となるようテンションが与えられている。
上下テンション付与部１２０は、この例では棒状のものであり、例えば、プラスチック樹脂性のものである。"チチ"や"輪"と呼ばれる接続片を通じてバナー幕本体１３０の上下端と接続され、上下方向にテンションを印加している。
【００２６】
バナー幕本体１３０は、バナー幕のベースデザインをなす部分である。ベースデザインの形状は特に限定されず、どのような形状でも良いが、輪郭カットデザイン部分１４０との関係において、外方に突出している感覚を強調するためには、バナー幕本体１３０のベースデザイン部分の輪郭が、輪郭カットデザイン部分１４０の輪郭線とは異なるシンプルな輪郭線であることが好ましい。図１に示す例では、ベースデザインが矩形となっている。
【００２７】
輪郭カットデザイン部分１４０は、文字または図形のデザインのエッジに沿った輪郭線を持つ部分である。輪郭カットデザイン部分１４０の形状は特に限定されず、どのような形状でも良いが、ベースデザイン部分１３０との関係において、外方に突出している感覚が強調できれば、輪郭カットデザイン部分１４０の文字や図形が立体的に視認されやすくなる。
【００２８】
図１に示す例は、輪郭カットデザイン部分１４０が、"１円"というデザイン文字とパチンコ玉の図形デザイン、および、"１０円"というデザイン文字とパチンコ玉の図形デザインとなっている例である。
このように、ベースデザイン部分１３０の輪郭線から外方に突出していたり、逆に内側に向けて切れ込みが入っていたりすれば、文字デザインや図形デザインの視認性が高くなる。
【００２９】
輪郭カットデザイン部分１４０は、その輪郭線に沿って断ち切りされている。
図１に示す例では、"１円"という文字の輪郭の下端に沿ったエッジがカット除去されている。
【００３０】
橋梁部１６０は、輪郭カットデザイン部分１４０をカットする際にカットされずに残された上下方向に沿う細線状の橋梁である。
輪郭カットデザイン部分１４０に沿ってエッジ部１５０を設け、文字または図形のデザインを抜き文字として輪郭線に沿ってカット除去すると、バナー幕の中に切れ目や突起箇所やいわゆる"浮島"となる分離箇所が発生してしまう。これらエッジ部１５０における切れ目や突起箇所や分離箇所は、撚れや捲れが発生しやすい。そこで橋梁部１６０を設けることにより、それらの切れ目や突起箇所や分離箇所に対して上下方向から支持し、切れ目や突起箇所が撚れたり捲れたりするのを防止するとともに、分離箇所が脱落したりするのを防止する。
【００３１】
橋梁部１６０を設けることにより、輪郭カットデザイン部分１４０のデザイン上の切れ目や突起箇所や分離箇所に対して、上下方向に張力が働き、いわゆる"ピン"と張った状態となり、撚れや捲れの発生が防止される。
橋梁部１６０の形状は特に限定されないが、本来は抜き文字や図形デザインの空間となっている箇所に柱状に残存する部分であるので、あまり目立たないよう、ある程度細くしておくことが好ましい。
【００３２】
橋梁部１６０にはテンションが掛かるため、破断しないような強度が確保されるように工夫することが好ましい。そこで、橋梁部１６０の柱の方向がテンションの方向と略一致するようにデザインしておくことが好ましい。ここでは、上下テンション付与部１２０により上下方向にテンションが印加されるため、橋梁部１６０も上下方向に設けることが好ましい。図１の例では橋梁部１６０は上下方向に沿って設けられている。
【００３３】
図２は、図１の橋梁部１６０に印加される、上下方向への引張力を示したものである。図２に示した例では、"１円"の輪郭の下端のエッジと、"１０円"の輪郭の上端のエッジの間に６本の橋梁部１６０が設けられており、その６か所の橋梁部１６０は上下テンション付与部１２０により供給される上下方向のテンションが印加され、"１円"の輪郭の下端のエッジがピンと下に引っ張られ、また、"１０円"の輪郭の上端のエッジがピンと上に引っ張られて全体が撚れたり捲れたりすることがなくなる。
【実施例２】
【００３４】
（２）下方に脚部を持ちセンターに支持部を配設し、自立型のいわゆる"脚付きスタンド"形式の構造例
図３は、図１とは別のパターンにかかる本考案を適用したバナー幕１００の構成例を示す図である。
図３に示す例は、下方に脚部を持ちセンターに支持部を配設し、自立型のいわゆる"脚付きスタンド"形式の構造例となっている。輪郭カットデザイン部分１４０として、"Ｂ"と"Ｄ"というアルファベット文字がいわゆる"抜き文字"となっている例である。
【００３５】
実施例２にかかるバナー幕１００は、図３に示すように、実施例１と同様、支持部１１０、上下テンション付与部１２０、バナー幕本体１３０、輪郭カットデザイン部分１４０、輪郭線に沿ったエッジ部１５０、橋梁部１６０を備えた構成となっている。
【００３６】
実施例２において、バナー幕の素材も特に限定されず、実施例１と同様で良い。
支持部１１０の柱の構造には多様な構造があり得る。図３の構造例では、支持部１１０は、実施例１とは異なり、脚部を備え、自立できるスタンド形式のものとなっている。バナー幕の裏面中央付近に配設され、上下テンション付与部１２０を介してバナー幕全体を支持掲揚するものとなっている。
【００３７】
上下テンション付与部１２０も実施例１と同様、上端支持部１２０−１と下端支持部１２０−２と、それらを適切な距離に離隔保持する保持構造を備えている。
この実施例２にかかる上下テンション付与部１２０は、図３の側面図にみるように、中央に走る支持部１１０に対して、バナー幕が上下方向にピンと張るように上下方向に開いた支持部分があり、それぞれの先端に上端支持部１２０−１および下端に下端支持部１２０−２が支持されており、上端支持部１２０−１は上向き、下端支持部１２０−２のものは下向きに、バナー幕を引張し、上下方向にテンションを与えるものとなっている。
実施例２においても、上下テンション付与部１２０によってバナー幕本体１３０に対していわゆる"ピン"と張った状態となるようにテンションが与えられている。
【００３８】
実施例２にかかる輪郭カットデザイン部分１４０は、図３に示すように、 "Ｂ"と"Ｄ"というアルファベット文字がいわゆる"抜き文字"となっている例である。輪郭カットデザイン部分１４０として輪郭線に沿って断ち切りされており、図３に示す例では、"Ｂ"の外周のエッジおよび内周のエッジともにカット除去されている。また、"Ｄ"の外周のエッジおよび内周のエッジともにカット除去されている。
【００３９】
橋梁部１６０は、実施例２においても輪郭カットデザイン部分１４０をカットする際にカットされずに残された上下方向に沿う細線状の橋梁となっており、"Ｂ"の抜き文字に対して、特に中央上下に２つ残るいわゆる"浮島"となる分離箇所部分が安定するよう、右端および左端の２系統の橋梁部１６０が上下に走っており、浮島が支持されるようになっている。また、"Ｄ"の抜き文字に対しても、中央に残るいわゆる"浮島"となる分離箇所部分が安定するよう、右端および左端の２系統の橋梁部１６０が上下に走っており、浮島が支持されるようになっている。
【００４０】
橋梁部１６０を設けることにより、輪郭カットデザイン部分１４０のデザイン上の切れ目や突起箇所や分離箇所に対して、上下方向に張力が働き、いわゆる"ピン"と張った状態となり、撚れや捲れの発生が防止される。
図４は、図３の橋梁部１６０に印加される、上下方向への引張力を示したものである。図４に示した例では、"Ｂ"および"Ｄ"の抜き文字に合計１０本の橋梁部１６０が設けられており、その１０か所の橋梁部１６０は上下テンション付与部１２０により供給される上下方向のテンションが印加され、"Ｂ"および"Ｄ"の浮島となる分離箇所のエッジがピンと上下に引っ張られて全体が撚れたり捲れたりすることがなくなる。
【実施例３】
【００４１】
（３）上方に吊下線状の支持部を配設し、前記上端支持部を前記支持部で吊下した"タペストリー形式"の構造例
図５は、図１とは別のパターンにかかる本考案を適用したバナー幕１００の構成例を示す図である。
図５に示す例は、上方に吊下線状の支持部を配設し、上端支持部を吊り下げたいわゆる吊下型の"タペストリー"形式の構造例となっている。バナー幕の輪郭カットデザイン部分１４０として、"Ｂ"と"Ｄ"というアルファベット文字がいわゆる"抜き文字"となっている例である。
【００４２】
実施例３にかかるバナー幕１００は、図５に示すように、実施例１と同様、支持部１１０、上下テンション付与部１２０、バナー幕本体１３０、輪郭カットデザイン部分１４０、輪郭線に沿ったエッジ部１５０、橋梁部１６０を備えた構成となっている。
【００４３】
実施例３において、バナー幕本体１３０の素材も特に限定されず、実施例１と同様で良い。
支持部１１０は吊下線の構造であり、例えば、糸、紐、針金、ワイヤー、ピアノ線など多様なものがあり得る。図５の構造例では、支持部１１０は糸とし、天井のフックから吊下されているものとする。ここではバナー幕全体が安定しやすいように左右に１本ずつ設け、上端支持部１２０−１を左右から吊下するものとなっている。
【００４４】
上下テンション付与部１２０は、実施例１と同様、上端支持部１２０−１と下端支持部１２０−２が設けられているが、バナー幕自体が多少重量のあるものであれば、下端支持部１２０−２は無くても、支持部１１０の吊下と自己の重量だけでバナー幕に対して上下方向に十分なテンションが与えられる場合がある。
この例では、上端支持部１２０−１に対しては支持部１１０により上向きに力がかかり、下端支持部１２０−２は自重で下方に力がかかるものとなっている。つまり、上端支持部１２０−１は上向き、下端支持部１２０−２のものは下向きにバナー幕が引張され、上下方向にテンションが与えられる。この実施例３においても、上下テンション付与部１２０によってバナー幕本体１３０に対していわゆる"ピン"と張った状態となるようなテンションが与えられている。
【００４５】
実施例３にかかる輪郭カットデザイン部分１４０は、図５に示すように、 "Ｂ"と"Ｄ"というアルファベット文字がいわゆる"抜き文字"となっている例である。輪郭カットデザイン部分１４０として輪郭線に沿って断ち切りされており、図５に示す例では、"Ｂ"の外周のエッジおよび内周のエッジともにカット除去されている。また、"Ｄ"の外周のエッジおよび内周のエッジともにカット除去されている。
【００４６】
橋梁部１６０は、実施例３においても輪郭カットデザイン部分１４０をカットする際にカットされずに残された上下方向に沿う細線状の橋梁となっており、"Ｂ"の抜き文字に対して、中央上下に２つ残るいわゆる"浮島"となる分離箇所部分が安定するよう、右端および左端の２系統の橋梁部１６０が上下に走って支持されるようになっている。また、"Ｄ"の抜き文字に対しても、中央に残るいわゆる"浮島"となる分離箇所部分が安定するよう、右端および左端の２系統の橋梁部１６０が上下に走ることにより浮島が支持されるようになっている。
【００４７】
橋梁部１６０を設けることにより、輪郭カットデザイン部分１４０のデザイン上の切れ目や突起箇所や分離箇所に対して、上下方向に張力が働き、いわゆる"ピン"と張った状態となり、撚れや捲れの発生が防止される。
図６は、図５の橋梁部１６０に印加される、上下方向への引張力を示したものである。図６に示した例では、"Ｂ"および"Ｄ"の抜き文字に合計１０本の橋梁部１６０が設けられており、その１０か所の橋梁部１６０は上下テンション付与部１２０により供給される上下方向のテンションが印加され、"Ｂ"および"Ｄ"の浮島となる分離箇所のエッジがピンと上下に引っ張られて全体が撚れたり捲れたりすることがなくなる。
【実施例４】
【００４８】
（４）下方に収納機能を備えた筒状の下端支持部を置き、上方に支持部と上端支持部を引き上げて固定するいわゆる"ロールアップスタンド"形式の構造例
図７は、図１、図３、図５とは別のパターンにかかる本考案を適用したバナー幕１００の構成例を示す図である。なお、実施例４にかかる輪郭カットデザイン部分１４０は、実施例２と同様のもので "Ｂ"と"Ｄ"というアルファベット文字がいわゆる"抜き文字"となっている例である。
【００４９】
図７に示す例は、いわゆるロールアップ形式のバナー幕である。ロールアップ形式のバナー幕とは、収納時にはバナー幕本体１３０がロール状に巻かれた状態で筒体の中に収納されており、展開時には、上端支持部１２０−１を上方に引き揚げることによりバナー幕本体１３０が追随してロールアップされた状態で支持されるものである。床面には筒体が直接設置されるので、自立型の構造例となっている。
【００５０】
実施例４にかかるバナー幕１００は、図７に示すように、実施例１と同様、支持部１１０、上下テンション付与部１２０、バナー幕本体１３０、輪郭カットデザイン部分１４０、輪郭線に沿ったエッジ部１５０、橋梁部１６０を備えた構成となっている。
【００５１】
実施例４において、バナー幕本体１３０の素材も特に限定されず、実施例１と同様で良い。
支持部１１０の構造は、実施例１とは異なり、バナー幕本体１３０の裏面に配置された柱状の構造物となっている。柱状の構造物には多様な構造があり得る。この例では、支持部１１０が自立できるように下部に脚部を備えた例となっている。下端支持部１２０−１と連結するようになっていても良い。また、上端には上端支持部１２０−１と接続するよう接続部材が設けられた例となっている。ロールアップしたバナー幕はそのままでは不安定な場合が多いので、支持部１１０が裏面側からいわゆる"突っ張り棒"のように支える構造となっている。
【００５２】
上下テンション付与部１２０も実施例１と同様、上端支持部１２０−１と下端支持部１２０−２を備えており、それらが適切な距離を保つことにより、バナー幕に上下方向のテンションが与えられる構造となっている。
この実施例４にかかる上下テンション付与部１２０は、図７の裏面図および側面図にみるように、支持部１１０がいわゆる"突っ張り棒"のように上端支持部１２０−１を支持掲揚するので、その結果、下端支持部１２０−２のものは下方に留まったまま上端支持部１２０−１が上向きに離隔して維持され、バナー幕を引張し、上下方向にテンションを与えるものとなっている。
【００５３】
橋梁部１６０は、実施例４においても実施例２と同様、輪郭カットデザイン部分１４０をカットする際にカットされずに残された上下方向に沿う細線状の橋梁となっており、"Ｂ"の抜き文字に対して、特に中央上下に２つ残るいわゆる"浮島"となる分離箇所部分が安定するよう、右端および左端の２系統の橋梁部１６０が上下に走っており、浮島が支持されるようになっている。また、"Ｄ"の抜き文字に対しても、中央に残るいわゆる"浮島"となる分離箇所部分が安定するよう、右端および左端の２系統の橋梁部１６０が上下に走っており、浮島が支持されるようになっている。
橋梁部１６０を設けることにより、輪郭カットデザイン部分１４０のデザイン上の切れ目や突起箇所や分離箇所に対して、上下方向に張力が働き、いわゆる"ピン"と張った状態となり、撚れや捲れの発生が防止される。
【００５４】
図８は、図７の橋梁部１６０に印加される、上下方向への引張力を示したものである。図８に示した例では、"Ｂ"および"Ｄ"の抜き文字に合計１０本の橋梁部１６０が設けられており、その１０か所の橋梁部１６０は上下テンション付与部１２０により供給される上下方向のテンションが印加され、"Ｂ"および"Ｄ"の浮島となる分離箇所のエッジがピンと上下に引っ張られて全体が撚れたり捲れたりすることがなくなる。
【実施例５】
【００５５】
次に、実施例５として、エッジ部１５０の切断の工夫について述べる。
輪郭カットデザイン部分１４０のエッジ部１５０や橋梁部１６０のエッジ部１５０は、その輪郭線に沿ってベースとなるバナー幕本体１３０を切断することで形成されるが、その切断方法は特に限定されない。もっともシンプルには鋏によって手作業で切断しても良い。この実施例の構成例では熱切断処理とする。
特に、熱切断処理とともに輪郭カットデザイン部分１４０のエッジ部１５０や橋梁部１６０のエッジ部１５０に沿って熱可塑性の樹脂が固まった帯状の補強部分を設ける工夫を施す。
【００５６】
熱切断処理とは、加熱手段で所定の熱を輪郭線に沿って当ててバナー幕１００を切断する処理である。一例としては、レーザー照射による加熱処理がある。また、他の例としては、ヒートカッターによる加熱処理がある。さらに他の例としては、マイクロ波照射による加熱処理、さらには、高周波振動カッターによる切断とその際に発生する摩擦熱による加熱処理などがある。
この実施例では、レーザー照射による加熱処理とする。この実施例では、バナー幕布全体がポリエステル樹脂で形成されている例であるので、レーザーが輪郭線に沿って移動しながら照射されて行くと、レーザー照射による熱が加わった箇所には局所的に熱が生じ、当該部分のポリエステル樹脂を瞬間的に熱溶融させる。
【００５７】
図９は、レーザー照射による熱切断処理が行われてエッジ部１５０が形成される様子を簡単に示す図である。図９（ａ）に示すように、レーザー照射による熱が加わった箇所には局所的に熱が生じ、当該部分のポリエステル樹脂が瞬間的に熱溶融する。
【００５８】
そしてレーザー照射位置が移動してゆくと、レーザー光線が通過した箇所は、図９（ｂ）に示すように、熱溶融していた熱可塑性樹脂であるポリエステル樹脂が冷却され、ポリエステル樹脂が固化して形成されたエッジの断ち切りとなる。エッジの断ち切り部分の断面は、繊維を切断した場合とは異なり、溶融固化したポリエステル樹脂が新たな端面として形成されるため、いわゆる"ほつれ"などの繊維質が飛び出ているような跡形にはならない。そして、その部位には熱可塑性の樹脂が固まった帯状の補強部分が形成され、構造的強度が向上するという効果も得られる。
【００５９】
ここで、さらに、熱可塑性の樹脂が固まった帯状の補強部分をより一層厚く設ける工夫について述べる。
まず、熱可塑性樹脂パウダーを用いて帯状の補強部分を設ける例を説明する。
図１０は、熱可塑性樹脂パウダー１７０を適用して、レーザーによりバナー幕１００の熱切断処理を行う様子を簡単に示す図である。熱切断処理に先立ち、図１０（ａ）に示すように、バナー幕の輪郭線に沿って、熱可塑性樹脂のパウダー１７０を載せ置いておく。図１０（ａ）では便宜上、熱可塑性樹脂パウダーの下にある輪郭線を点線で示している。
熱可塑性樹脂パウダー１７０としては、ポリアミド樹脂のパウダーや、ポリエステル樹脂パウダーなどでも良い。ここでは、一例として、ポリアミド樹脂のパウダーとする。
【００６０】
このように熱可塑性樹脂のパウダーをカットする輪郭線に沿ってポリアミド樹脂製の熱可塑性樹脂パウダー１７０を載せ置いた状態で、熱切断処理を行うと、図１０（ｂ）に示すように、レーザー照射による熱が加わった箇所には局所的に熱が生じ、当該部分のバナー幕本体１３０が切断されるとともに、そこに載せ置かれた熱可塑性樹脂パウダー１７０が瞬間的に熱溶融する。
【００６１】
そしてレーザー照射位置が移動してゆくと、図１０（ｃ）に示すように、熱溶融していた箇所が冷却され、溶融していたポリアミド樹脂が固化してエッジの断ち切りが形成される。エッジの断ち切り部分の断面は、繊維を切断した場合とは異なり、溶融固化したポリアミド樹脂により被覆され、新たな端面として形成されるため、いわゆる"ほつれ"などの繊維質が飛び出ているような跡形にはならない。そして、その部位には熱可塑性の樹脂が固まった帯状の補強部分が厚く形成され、構造的強度が向上するという効果も得られる。
【００６２】
次に、熱可塑性樹脂フィルムを用いて帯状の補強部分を設ける例を説明する。
図１１は、熱可塑性樹脂フィルム１８０を用いてバナー幕１００の熱切断処理を行う様子を簡単に示す図である。熱切断処理に先立ち、図１１（ａ）に示すように、バナー幕１００の輪郭線に沿って、熱可塑性樹脂フィルム１８０を載せ置いておく。
なお、熱可塑性樹脂フィルム１８０をカットする輪郭線に沿って載せ置くため、熱可塑性樹脂のフィルム１８０を輪郭線に沿うようにあらかじめカットして載せておくことが好ましい。
【００６３】
熱可塑性樹脂フィルム１８０としては、ポリアミド樹脂のフィルムや、ポリエステル樹脂フィルムなどでも良い。ここでは、一例として、ポリエステル樹脂フィルムとする。
このように熱可塑性樹脂フィルム１８０をカットする輪郭線に沿って熱可塑性樹脂フィルム１８０を載せ置いた状態で、熱切断処理を行うと、図１１（ｂ）に示すように、レーザー照射による熱が加わった箇所には局所的に熱が生じ、当該部分のバナー幕１００が切断されるとともに、そこに載せ置かれた熱可塑性樹脂フィルム１８０が瞬間的に熱溶融する。
【００６４】
そしてレーザー照射位置が移動してゆくと、図１１（ｃ）に示すように、熱溶融していた箇所が冷却され、溶融していた熱可塑性樹脂が固化してエッジの断ち切りが形成される。エッジの断ち切り部分の断面は、繊維を切断した場合とは異なり、溶融・固化した熱可塑性樹脂により被覆され、新たな端面として形成されるため、いわゆる"ほつれ"などの繊維質が飛び出ているような跡形にはならない。そして、その部位には熱可塑性の樹脂が固まった帯状の補強部分が厚く形成され、構造的強度が向上するという効果も得られる。
【００６５】
以上のように熱切断処理されたバナー幕１００は、ベースデザイン部分１３０において文字デザインについてその輪郭線をなぞるようにエッジが切断されており、文字デザインの特に外方に位置する輪郭線が強調されており、一見、あたかも立体的に描かれている文字デザインであるような視覚効果も得られている。
【００６６】
以上、本考案のバナー幕における好ましい実施例を図示して説明してきたが、本考案の技術的範囲を逸脱することなく種々の変更が可能であることは理解されるであろう。
【産業上の利用可能性】
【００６７】
本考案は、バナー幕に適用可能である。ここで言うバナー幕としては、のぼり旗の幕布、吊り旗の幕布、暖簾の幕布、横断幕の幕布、懸垂幕の幕布、引き幕の幕布、日除け幕の幕布、襷の幕布など、各種の旗類や幕類を含むものである。
また、バナー幕のフレームとしても多様なものに適用が可能である。バナー幕を上下に引っ張って支持できるフレームであれば適用できる。ごく一例としては、サイドに支持部を持ちサイドから支持したいわゆる"のぼり旗"形式のフレームや、下方に脚部を持ちセンターに支持部を持つ自立型のいわゆる"脚付きスタンド"形式のフレームや、(3)上方に吊下線状の支持部を配設し、前記上端支持部を前記支持部で吊下したタペストリー形式のフレームや、(4)下方に筒状の収納部を置いて上方に支持部とともに上端支持部を掲揚したいわゆる"ロールアップスタンド"形式のフレームなどに適用可能である。
【符号の説明】
【００６８】
１００  バナー幕
１１０  支持部
１２０  上下テンション付与部
１２０−１  上端支持部
１２０−２  下端支持部
１３０  バナー幕本体
１４０  輪郭カットデザイン部分
１５０  エッジ部
１６０  橋梁部
１７０  熱可塑性樹脂パウダー
１８０  熱可塑性樹脂フィルム
【図１】
0003200916.tif 000003
【図２】
0003200916.tif 000004
【図３】
0003200916.tif 000005
【図４】
0003200916.tif 000006
【図５】
0003200916.tif 000007
【図６】
0003200916.tif 000008
【図７】
0003200916.tif 000009
【図８】
0003200916.tif 000010
【図９】
0003200916.tif 000011
【図１０】
0003200916.tif 000012
【図１１】
0003200916.tif 000013
【図１２】
0003200916.tif 000014
【図１３】
0003200916.tif 000015